(57)【要約】      （修正有）【課題】外反母趾を防止して、水虫や悪臭の発生のない履き物を提供する。【解決手段】基台１１から立設されたバンド部材１２と、前記基台の外周に形成された溝１３に下端が嵌合固定され、足全体を覆う覆い部材１４とからなる履き物１０であって、前記覆い部材は収縮性を有する部材から構成されるとともに、爪先と踵部に剛性を有する芯部材１５，１６を備えたので、外反母趾を防止して、水虫や悪臭の発生を防止することができる。【選択図】図１
0003100977.tif 000002
【実用新案登録請求の範囲】
【請求項１】
基台から立設されたバンド部材と、
前記基台の外周に形成された溝に下端が嵌合固定され、足全体を覆う覆い部材とからなる履き物であって、
前記覆い部材は収縮性を有する部材から構成されるとともに、爪先と踵部に剛性を有する芯部材を備えたことを特徴とする履き物。
【請求項２】
前記バンド部材は、足の踵部を周回する踵押さえ部を有することを特徴とする請求項１に記載の履き物。
【請求項３】
前記バンド部材は、基台から３点で立ち上がり、後端の左右の立ち上がり幅が足の横幅より狭いことを特徴とする請求項１または２に記載の履き物。
【請求項４】
前記爪先と踵部に配設された芯部材は、弾性部材で接続されていることを特徴とする請求項１〜３の何れか１に記載の履き物。
【請求項５】
前記覆い部材の下端には、全周に亘って線状芯材が配設され、前記基台の溝に着脱可能に構成されたことを特徴とする請求項１〜３の何れか１に記載の履き物。
【考案の詳細な説明】
【技術分野】
【０００１】
本考案は、通気性を確保して水虫、悪臭を防止するとともに、外反母趾の防止を可能とする履き物に関するものである。
【背景技術】
【０００２】
従来、女性用のハイヒール等は、デザイン的観点から先端が急激に細くなっており、この様な靴を長年履き続けると、親指の第１関節の骨が外側に変形する、いわゆる外反母趾となる場合があった。  
また、靴は、一般に通気性が悪く、水虫や悪臭の発生原因ともなっていた。
【０００３】
また例えば、特開平１１−１９２１０３号公報等に開示されているように、外反母趾の矯正を目的として、履き込むことにより足の親指と人差し指との間を押し広げる拡張部材を備えた履き物が提案されている。
【０００４】
【特許文献１】特開平１１−１９２１０３号公報
【考案の開示】
【考案が解決しようとする課題】
【０００５】
しかし、特開平１１−１９２１０３号公報に開示された履きものは、サンダルであり、雨の日や冬季或いはフォーマルな場所で使用することができなかった。また、既に外反母趾となっている人には、サンダルの甲被部分が患部に接触し、痛みを伴うものあった。
【課題を解決するための手段】
【０００６】
前記目的を達成するために、請求項１に記載の考案は、基台から立設されたバンド部材と、前記基台の外周に形成された溝に下端が嵌合固定され、足全体を覆う覆い部材とからなる履き物であって、前記覆い部材は収縮性を有する部材から構成されるとともに、爪先と踵部に剛性を有する芯部材を備えたことを特徴としている。
【０００７】
また、請求項２に記載の考案において、前記バンド部材は、足の踵部を周回する踵押さえ部を有することを特徴とするものである。
【０００８】
また、請求項３に記載の考案において、前記バンド部材は、基台から３点で立ち上がり、後端の左右の立ち上がり幅が足の横幅より狭いことを特徴とするものである。
【０００９】
また、請求項４に記載の考案において、前記爪先と踵部に配設された芯部材は、弾性部材で接続されていることを特徴とするものである。
【００１０】
また、請求項５に記載の考案において、前記覆い部材の下端には、全周に亘って線状芯材が配設され、前記基台の溝に着脱可能に構成されたことを特徴とするものである。
【考案の効果】
【００１１】
この考案は前記した構成からなるので、以下に説明するような効果を奏することができる。
【００１２】
請求項１に記載の考案では、基台から立設されたバンド部材と、前記基台の外周に形成された溝に下端が嵌合固定され、足全体を覆う覆い部材とからなる履き物であって、前記覆い部材は収縮性を有する部材から構成されるとともに、爪先と踵部に剛性を有する芯部材を備えたので、本考案の履き物は外反母趾の発生を防止することができる。また、既に外反母趾になっている人でも、足を痛めることなく履くことができる。
【００１３】
また、請求項２に記載の考案において、前記バンド部材は、足の踵部を周回する踵押さえ部を有するので、履き物が歩行中に脱げる虞れもなく、使用することができる。また、バンド部材と踵押さえ部によって足と基台が連結されているので、外反母趾を防止することができる。
【００１４】
また、請求項３に記載の考案において、前記バンド部材は、基台から３点で立ち上がり、後端の左右の立ち上がり幅が足の横幅より狭いので、足がバンド部材によってピッタリとフィットし軽快に履くことができる。
【００１５】
また、請求項４に記載の考案において、前記爪先と踵部に配設された芯部材は、弾性部材で接続されているので、歩行に際して伸び縮みして使用者に負担をかけることがない。
【００１６】
また、請求項５に記載の考案において、前記覆い部材の下端には、全周に亘って線状芯材が配設され、前記基台の溝に着脱可能に構成されたので、覆い部材が汚れた場合には容易に交換することができる。また、雨の日には、防水性のある部材から成る覆い部材と交換することができる。更に、線状芯材が配設が全周に亘って配設されているので、強固に結合されて使用中に覆い部材が外れてしまう虞れもない。
【考案を実施するための最良の形態】
【００１７】
本考案は、足の指を掛けるバンド部材と覆い部材とを備え足を覆うので外反母趾を防止して、水虫や悪臭の発生のない履き物を実現した。
【実施例１】
【００１８】
以下、一実施の形態を示す図面に基づいて本考案を詳細に説明する。図１は、本考案に係る履き物の一例を示す分解斜視図、図２は本考案の履き物を示す分解した側面図、図３は本考案の履き物を示す要部断面図である。ここで、履き物１０は、基台１１から立設されたバンド部材１２と、前記基台１１の外周に形成された溝１３に下端が嵌合固定され、足全体を覆う覆い部材１４とからなり、前記覆い部材１４は収縮性を有する部材から構成されるとともに、爪先と踵部に剛性を有する芯部材１５、１６を備えている。
【００１９】
基台１１は、図１に示すようにヒール部１１ａを有するものであってもよく、有しないものでもよい。また、基台１１の外周には、溝１３が形成されており、覆い部材１４の下端および芯部材１５、１６の一部が着脱自在に構成されている。更に、基台１１からバンド部材１２が立設されている。バンド部材１２は、足の踵部を周回する踵押さえ部１７を有するとともに、基台１１からＡ１、Ａ２、Ａ３の３点で立ち上がっている。そして、後端の左右の立ち上がりＡ２とＡ３との距離が足の横幅より狭く構成されている。
【００２０】
覆い部材１４は、足全体を覆う形状であり収縮性を有する部材から構成されている。また、爪先と踵部に剛性を有する芯部材１５、１６を備えている。そして、爪先と踵部に配設された芯部材１５、１６は、弾性部材１９、例えば、合成ゴム、コイルスプリング等で接続されている。したがって、前後の芯部材１５、１６間隔は、自在に伸縮することができ、足の大きさの変化に対応できる。また、外反母趾によって、親指の第１関節が外側に変形していても、覆い部材１４が自由に伸びて、足が痛むことがない。更に、芯部材１５、１６は、覆い部材１４の内部に収納され覆い部材１４を所定の形状に保持して、靴としての外観を保つことができフォーマルな場所で使用できる。
【００２１】
図６は、本考案の履き物の覆い部材の変形例を示す一部を切り欠いた斜視図、図７は、本考案の履き物の変形例を示す要部断面図である。本実施例において、覆い部材１４の下端には、全周に亘って線状芯材１８が配設され、基台１１の溝１３に着脱可能に構成されている。
【００２２】
次に、以上のように構成された本考案に係る履き物１０では、線状芯材１８が基台１１の溝１３の全周に亘って嵌合しているので、覆い部材１４を基台１１に強固に固定することができる。したがって、歩いている途中で覆い部材１４が外れ落ちる虞れがない。
【００２３】
尚、バンド部材１２は、伸縮性を有する部材、例えば、ゴムを布で包んだものであってもよい。
【図面の簡単な説明】
【００２４】
【図１】図１は、本考案に係る履き物の一例を示す分解斜視図である。
【図２】図２は、同履き物を示す分解した側面図である。
【図３】図３は、同履き物を示す要部断面図である。
【図４】図４は、同履き物の基台部のみを示す平面図である。
【図５】図５は、同履き物の側面図である。
【図６】図６は、同履き物の覆い部材の変形例を示す一部を切り欠いた斜視図である。
【図７】図７は、同履き物の変形例を示す要部断面図である。
【符号の説明】
【００２５】
１０      履き物
１１      基台
１２      バンド部材
１３      溝
１４      覆い部材
１５      芯部材
１６      芯部材
１７      踵押さえ部
１８      線状芯材
１９      弾性部材
【図１】
0003100977.tif 000003
【図２】
0003100977.tif 000004
【図３】
0003100977.tif 000005
【図４】
0003100977.tif 000006
【図５】
0003100977.tif 000007
【図６】
0003100977.tif 000008
【図７】
0003100977.tif 000009